(57)【要約】【課題】器具内線を確実に保持することができる照明器具を提供する。【解決手段】照明器具１０は、ボルトで取り付けられる器具本体１１を有し、施工用取付穴１９に対応した位置に固定される電線保持金具１７を有し、電線保持金具１７はボルトが貫通するボルト穴２８を備えるとともに、器具内線１８を電線保持金具１７の壁面と端面及び器具本体１１で囲まれた配線穴３３に貫通させて保持した。【選択図】図４
2010170735.tif 000002
【特許請求の範囲】
【請求項１】
ボルトで取り付けられる器具本体を有する照明器具において、
施工用取付穴に対応した位置に固定される電線保持金具を有し、前記電線保持金具はボルトが貫通するボルト穴を備えるとともに、器具内線を前記電線保持金具の壁面と端面及び前記器具本体で囲まれた配線穴に貫通させて保持したことを特徴とする照明器具。
【請求項２】
前記器具内線を前記電線保持金具の壁面及び前記器具本体で囲まれた配線穴に貫通させて保持することを特徴とする請求項１記載の照明器具。
【請求項３】
前記器具内線を前記電線保持金具の壁面と、前記電線保持金具の一端を折り曲げて形成した保持部で囲まれた配線穴に貫通させて保持することを特徴とする請求項１記載の照明器具。
【請求項４】
前記配線保持金具に設けられた前記保持穴に前記器具内線を貫通させて保持することを特徴とする請求項１記載の照明器具。
【発明の詳細な説明】
【技術分野】
【０００１】
本発明は、例えば天井等にボルトで取り付けられる器具本体を有する照明器具に関する。
【背景技術】
【０００２】
例えば長尺の直管形蛍光灯を取り付けた器具本体を有して天井等にボルトで取り付けられる照明器具は、器具本体に点灯回路を取り付けており、直管形蛍光灯を保持するソケットと点灯回路との間を器具内線で接続している。そのため、器具本体上には、複数の器具内線が器具本体の長尺方向に引き回して配策されている。
【０００３】
このような背景に鑑み、本発明者らは器具内線を収容する収容部に装着させる電線保持具を有する照明器具を既に提案している（例えば特許文献１参照）。
【０００４】
上記特許文献１に開示された照明器具は、器具本体の両壁板の先端にコ字形状の収容部を形成している。照明器具は点灯回路を器具本体に取り付けて器具内線を接続した後に、器具内線を収容部に挿入し、収容部の開口を塞ぐように電線保持部を装着する。
【先行技術文献】
【特許文献】
【０００５】
【特許文献１】特開平９−２１３１２８号公報（図１、請求項１）
【発明の概要】
【発明が解決しようとする課題】
【０００６】
ところが、上記特許文献１に開示された照明器具では、電線保持具が外れないとは言い難く、万が一に、電線保持具が外れた場合、器具内線が下方に垂れ下がったり、器具内線が発熱する直管形蛍光灯に触れたりすることがある。
【０００７】
器具内線が下方に垂れ下がった場合、器具本体固定用のボルト穴の近くに器具内線があると、ボルト穴を挿通したボルトにワッシャを介してナットをねじ込む際に、ワッシャで器具内線を挟み込むことがありうる。そうすると、ナットのねじ込みによりワッシャが器具内線内の導体を噛み込んで短絡を起こす虞がある。
【０００８】
本発明は、前述した課題を解決するためになされたものであり、その目的は、器具内線を確実に保持することができる照明器具を提供することにある。
【課題を解決するための手段】
【０００９】
本発明に係る照明器具は、ボルトで取り付けられる器具本体を有する照明器具において、施工用取付穴に対応した位置に固定される電線保持金具を有し、前記電線保持金具はボルトが貫通するボルト穴を備えるとともに、器具内線を前記電線保持金具の壁面と端面及び前記器具本体で囲まれた配線穴に貫通させて保持したことを特徴とする。
【００１０】
本発明においては、電線保持金具は、その壁面と端面及び器具本体で囲まれた配線穴をボルト穴とは別所に形成する。
これにより、施工に際し、電線保持金具を施工用取付穴に対応した位置に固定することにより、電線保持金具は器具内線を保持するためのスペースを形成して器具本体に固定される。
従って、ボルトへの共締めにより電線保持金具は器具本体から外れることなく固定されるとともに、電線保持金具の配線穴に器具内線を貫通させることにより、器具内線をボルト穴とは別所に配置してワッシャの噛み込み等を起こすことなく器具内線を確実に保持することができる。
【００１１】
本発明に係る照明器具は、上記照明器具において、前記器具内線を前記電線保持金具の壁面及び前記器具本体で囲まれた配線穴に貫通させて保持することを特徴とする。
【００１２】
本発明においては、電線保持金具は、その壁面及び器具本体で囲まれた配線穴をボルト穴とは別所に形成する。
これにより、施工に際し、電線保持金具を施工用取付穴に対応した位置に固定することにより、電線保持金具は器具内線を保持するためのスペースを形成して器具本体に固定される。
従って、ボルトへの共締めにより電線保持金具は器具本体から外れることなく固定されるとともに、電線保持金具の配線穴に器具内線を貫通させることにより、器具内線をボルト穴とは別所に配置してワッシャの噛み込み等を起こすことなく器具内線を確実に保持することができる。
【００１３】
本発明に係る照明器具は、上記照明器具において、前記器具内線を前記電線保持金具の壁面と、前記電線保持金具の一端を折り曲げて形成した保持部で囲まれた配線穴に貫通させて保持することを特徴とする。
【００１４】
本発明においては、電線保持金具は、その壁面と、一端を折り曲げて形成した保持部で囲まれた配線穴をボルト穴とは別所に形成する。
これにより、施工に際し、電線保持金具を施工用取付穴に対応した位置に固定することにより、電線保持金具は器具内線を保持するためのスペースを形成して器具本体に固定される。
従って、ボルトへの共締めにより電線保持金具は器具本体から外れることなく固定されるとともに、電線保持金具の配線穴に器具内線を貫通させることにより、器具内線をボルト穴とは別所に配置してワッシャの噛み込み等を起こすことなく器具内線を確実に保持することができる。
【００１５】
本発明に係る照明器具は、上記照明器具において、前記配線保持金具に設けられた保持穴に前記器具内線を貫通させて保持することを特徴とする。
【００１６】
本発明においては、電線保持金具は、保持穴をボルト穴とは別所に形成する。
これにより、施工に際し、電線保持金具を施工用取付穴に対応した位置に固定することにより、電線保持金具は器具内線を保持するための保持穴を有して器具本体に固定される。
従って、ボルトへの共締めにより電線保持金具は器具本体から外れることなく固定されるとともに、電線保持金具の保持穴に器具内線を貫通させることにより、器具内線をボルト穴とは別所に配置してワッシャの噛み込み等を起こすことなく器具内線を確実に保持することができる。
【発明の効果】
【００１７】
本発明の照明器具によれば、ボルトで取り付けられる器具本体を有し、施工用取付穴に対応した位置に固定される電線保持金具を有し、電線保持金具はボルトが貫通するボルト穴を備えるとともに、器具内線を電線保持金具の壁面と端面及び器具本体で囲まれた配線穴に貫通させて保持した。
これにより、器具内線を確実に保持することができるという効果を有する。
【図面の簡単な説明】
【００１８】
【図１】本発明に係る第１実施形態の照明器具の各部品の分解斜視図
【図２】図１の照明器具に適用される電線保持金具の下方から視た外観斜視図
【図３】図１に示した照明器具における器具本体の下方から視た外観斜視図
【図４】図１に示した照明器具における電線保持金具を取り付けた器具本体の下方から視た外観斜視図
【図５】本発明に係る第２実施形態の照明器具に適用される電線保持金具の下方から視た外観斜視図
【図６】本発明に係る第３実施形態の照明器具に適用される電線保持金具の下方から視た外観斜視図
【図７】本発明に係る第４実施形態の照明器具に適用される電線保持金具の下方から視た外観斜視図
【図８】本発明に係る第５実施形態の照明器具に適用される電線保持金具の下方から視た外観斜視図
【図９】本発明に係る第６実施形態の照明器具に適用される電線保持金具の下方から視た外観斜視図
【図１０】本発明に係る第７実施形態の照明器具に適用される電線保持金具の下方から視た外観斜視図
【発明を実施するための形態】
【００１９】
以下、本発明の複数の実施形態に係る照明器具について図面を参照して説明する。
【００２０】
（第１実施形態）
図１に示すように、本発明の第１実施形態である照明器具１０は、器具本体１１と、二対のソケット１２と、点灯回路である安定器１３および端子台１４と、反射板１５と、２本の直管形蛍光灯１６と、一対の電線保持金具１７と、を備える。
【００２１】
照明器具１０は天井面１から下方に向けて突出されている一対の取付ボルト２にそれぞれワッシャ３を介してナット４により固定される富士型照明器具である。
【００２２】
器具本体１１は比較的薄い板金製であって中央部に安定器１３および端子台１４を固定しており、長手方向の両端部に二対のソケット１２をそれぞれ固定している。ソケット１２には、安定器１３および端子台１４から引き出された器具内線１８が電気的に接続される。器具内線１８は器具本体１１の長手方向に配策される。
【００２３】
器具本体１１は安定器１３および端子台１４の長手方向の両側に一対の施工用取付穴１９を有する。施工用取付穴１９は取付ボルト２よりもわずかに大きい内径を有する。
【００２４】
器具本体１１は一対のソケット１２の内方に一対のブラケット２０を有する。ブラケット２０は不図示のクリップ等により反射板１５を器具本体１１に取り付けるのに用いる。
【００２５】
図２にも示すように、器具本体１１は施工用取付穴１９の長手方向の一方側に長穴形状の金具係合穴２１を有し、施工用取付穴１９を中心として金具係合穴２１の反対側に金具取付ねじ穴２２を有する。
【００２６】
図３にも示すように、電線保持金具１７は、機械構造用鋼等を用いて成形されており、底板２３と、器具本体１１の長手方向に配置される一対の第１側板２４および第２側板２５と、器具本体１１の長手方向に直交する短寸方向に配置される一対の第３側板２６および第４側板２７と、からなる。なお、以下の説明において、器具本体１１の長手方向をＸ方向、器具本体１１の長手方向に直交する短寸方向をＹ方向、天井面１に向けた方向をＺ方向とそれぞれ言う。
【００２７】
底板２３は器具本体１１のＸ方向に長さ寸法Ｌ１であって、器具本体１１のＹ方向に長さ寸法Ｌ２の四角形に形成されている。底板２３は、その中央部にボルト穴２８を有する。ボルト穴２８は施工用取付穴１９と同様にして取付ボルト２よりもわずかに大きい内径を有する。
【００２８】
第１側板２４および第２側板２５は、底板２３のＹ方向の長さ寸法Ｌ２よりも小さい幅寸法Ｌ３を有しており、予め定められた長さ寸法Ｌ４を有する。
【００２９】
第１側板２４は、その先端部に器具本体１１の金具係合穴２１に係合される係合舌片２９を突出形成している。第１側板２４は底板２３のＸ方向側の端縁からＺ方向にほぼ９０度で折り曲げられ、その先端部において係合舌片２９がＸ方向に折り曲げ成形されている。
【００３０】
第２側板２５は、その先端部に器具本体１１の金具取付ねじ穴２２にねじ込まれるねじ(図４参照)３０を挿通させるためのねじ穴３１を有する器具固定用フランジ３２を突出形成している。第２側板２５は底板２３の−Ｘ方向側の端縁からＺ方向にほぼ９０度で折り曲げられ、その先端部において器具固定用フランジ３２が−Ｘ方向に折り曲げ成形されている。
【００３１】
第３側板２６および第４側板２７は、底板２３のＸ方向の長さ寸法Ｌ１に同等の幅寸法Ｌ５を有しており、予め定められた長さ寸法Ｌ４を有する。
【００３２】
第３側板２６は、第１側板２４のＹ方向の端縁から距離Ｌ６だけ離れた底板２３の端縁からＺ方向に折り曲げ成形されている。
【００３３】
第４側板２７は、第１側板２４の−Ｙ方向の端縁から距離Ｌ６だけ離れた底板２３の端縁からＺ方向に折り曲げ成形されている。
【００３４】
次に、照明器具１０における電線保持金具１７の器具本体１１への取付について説明する。
【００３５】
図２，３を含めて図４にも示すように、電線保持金具１７の係合舌片２９を先にして器具本体１１に向けて進行していき、第１側板２４の係合舌片２９を器具本体１１の金具係合穴２１に挿入・係合する。
【００３６】
次に、第２側板２５の器具固定用フランジ３２を器具本体１１に近づけていくことにより、器具固定用フランジ３２のねじ穴３１が器具本体１１の金具取付ねじ穴２２に一致し、ボルト穴２８が施工用取付穴１９に一致する。
【００３７】
そして、器具固定用フランジ３２のねじ穴３１から器具本体１１の金具取付ねじ穴２２にねじ３０をねじ込むことにより、電線保持金具１７が器具本体１１に固定される。
【００３８】
これにより、電線保持金具１７は、ボルト穴２８からＹ方向に離れた位置に、底板２３と第３側板２６と器具本体１１とに囲まれていて器具本体１１のＸ方向に開口した第１配線穴３３を形成する。
【００３９】
また、電線保持金具１７は、ボルト穴２８から−Ｙ方向に離れた位置に、底板２３と第４側板２７と器具本体１１とに囲まれていて器具本体１１のＸ方向に開口した第２配線穴３４を形成する。
【００４０】
そして、安定器１３および端子台１４からソケット１２へ接続される器具内線１８を第１配線穴３３に挿通し、施工用取付穴１９を通じてボルト穴２８に挿通されている取付ボルト２にワッシャ３を介してナット４をねじ込む。
【００４１】
器具内線１８は第１配線穴３３に代えて第２配線穴３４に挿通しても良く、或いは第１配線穴３３および第２配線穴３４を用いても良い。
【００４２】
第１実施形態の照明器具１０では、電線保持金具１７は、底板２３と第３側板２６と器具本体１１とに囲まれた第１配線穴３３および底板２３と第４側板２７と器具本体１１とに囲まれた第２配線穴３４をボルト穴２８とは別所に形成する。
これにより、施工に際し、電線保持金具１７を施工用取付穴１９に対応した位置に固定することにより、電線保持金具１７は器具内線１８を保持するためのスペースを形成して器具本体１１に固定される。
従って、ボルト２への共締めにより電線保持金具１７は器具本体１１から外れることなく固定されるとともに、電線保持金具１７の各配線穴３３，３４に器具内線１８を貫通させることにより、器具内線１８をボルト穴２８とは別所に配置してワッシャ３の噛み込み等を起こすことなく器具内線１８を確実に保持することができる。
【００４３】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００４４】
図５にも示すように、本発明の第２実施形態の照明器具４０は、底板４１と、器具本体１１のＸ方向に配置される一対の第１側板４２および第２側板４３と、器具本体１１のＹ方向に配置される一対の第３側板４４および第４側板４５と、からなる電線保持金具４６を備える。
【００４５】
第１側板４２は、第３側板４４のＹ方向の端縁から距離Ｌ６だけ離れた底板４１の端縁からＺ方向に折り曲げ成形されている。
【００４６】
第２側板４３は、第１側板４２の−Ｙ方向の端縁から距離Ｌ６だけ離れた底板４１の端縁からＺ方向に折り曲げ成形されている。
【００４７】
第３側板４４は、その先端部に器具本体１１の金具係合穴２１に係合される係合舌片２９を突出形成している。第３側板４４は底板４１のＹ方向側の端縁からＺ方向にほぼ９０度で折り曲げられ、その先端部において係合舌片２９がＹ方向に折り曲げ成形されている。
【００４８】
第４側板４５は、その先端部に器具本体１１の金具取付ねじ穴２２にねじ込まれるねじ３０を挿通させるためのねじ穴３１を有する器具固定用フランジ３２を突出形成している。第４側板４５は底板４１の−Ｙ方向側の端縁からＺ方向にほぼ９０度で折り曲げられ、その先端部において器具固定用フランジ３２が−Ｙ方向に折り曲げ成形されている。
【００４９】
この場合の器具本体１１は、金具係合穴２１を、施工用取付穴１９の長手方向に直交する側に有し、金具取付ねじ穴２２を、施工用取付穴１９を中心として金具係合穴２１の反対側に有する。
【００５０】
電線保持金具４６は、ボルト穴２８からＹ方向に離れた位置に、底板４１と第３側板４４と器具本体１１とに囲まれていて器具本体１１のＸ方向に開口した第１配線穴４７を形成する。
【００５１】
また、電線保持金具４６は、ボルト穴２８から−Ｙ方向に離れた位置に、底板４１と第４側板４５と器具本体１１とに囲まれていて器具本体１１のＸ方向に開口した第２配線穴４８を形成する。
【００５２】
第２実施形態の照明器具４０では、電線保持金具４６は、底板４１と第３側板４４と器具本体１１とに囲まれた第１配線穴４７および底板４１と第４側板４５と器具本体１１とに囲まれた第２配線穴４８をボルト穴２８とは別所に形成する。
これにより、施工に際し、電線保持金具４６を施工用取付穴１９に対応した位置に固定することにより、電線保持金具４６は器具内線１８を保持するためのスペースを形成して器具本体１１に固定される。
従って、ボルト２への共締めにより電線保持金具４６は器具本体１１から外れることなく固定されるとともに、電線保持金具４６の各配線穴４７，４８に器具内線１８を貫通させることにより、器具内線１８をボルト穴２８とは別所に配置してワッシャ３の噛み込み等を起こすことなく器具内線１８を確実に保持することができる。
【００５３】
（第３実施形態）
次に、本発明の第３実施形態の照明器具について説明する。
【００５４】
図６にも示すように、本発明の第３実施形態の照明器具５０は、器具本体１１に面接触する天板５１と、天板５１における器具本体１１のＹ方向に接続された断面視コ字形状の保持部である第１壁穴部５２と、天板５１における器具本体１１の−Ｙ方向に接続された断面視コ字形状の保持部である第２壁穴部５３と、からなる電線保持金具５４を備える。
【００５５】
この場合の器具本体１１は、金具係合穴２１を、施工用取付穴１９の長手方向に有し、金具取付ねじ穴２２を、施工用取付穴１９を中心として金具係合穴２１の反対側に有する。
【００５６】
第１壁穴部５２は、その先端部に器具本体１１の金具係合穴２１に係合される係合舌片５５を突出形成している。
【００５７】
第２壁穴部５３は、その先端部に器具本体１１の金具取付ねじ穴２２にねじ込まれるねじ３０を挿通させるためのねじ穴３１を有する器具固定用フランジ５６を突出形成している。
【００５８】
電線保持金具５４は、ボルト穴２８からＹ方向に離れた位置に、第１壁穴部５２と器具本体１１とに囲まれていて器具本体１１のＸ方向に開口した第１配線穴５７を形成する。
【００５９】
また、電線保持金具５４は、ボルト穴２８から−Ｙ方向に離れた位置に、第２壁穴部５３と器具本体１１とに囲まれていて器具本体１１のＸ方向に開口した第２配線穴５８を形成する。
【００６０】
第３実施形態の照明器具５０では、電線保持金具５４は、第１壁穴部５２と器具本体１１とに囲まれた第１配線穴５７および第２壁穴部５３と器具本体１１とに囲まれた第２配線穴５８をボルト穴２８とは別所に形成する。
これにより、施工に際し、電線保持金具５４を施工用取付穴１９に対応した位置に固定することにより、電線保持金具５４は器具内線１８を保持するためのスペースを形成して器具本体１１に固定される。
従って、ボルト２への共締めにより電線保持金具５４は器具本体１１から外れることなく固定されるとともに、電線保持金具５４の各配線穴５７，５８に器具内線１８を貫通させることにより、器具内線１８をボルト穴２８とは別所に配置してワッシャ３の噛み込み等を起こすことなく器具内線１８を確実に保持することができる。
【００６１】
また、第３実施形態の照明器具５０では、電線保持金具５４の天板５１を器具本体１１に面接触により当接させた。
従って、電線保持金具５４と器具本体１１との固着力を増強することができる。
【００６２】
（第４実施形態）
次に、本発明の第４実施形態の照明器具について説明する。
【００６３】
図７にも示すように、本発明の第４実施形態の照明器具６０は、底板６１と、第１側板６２および第２側板６３と、底板６１における器具本体１１のＹ方向に接続された断面視コ字形状の保持部である第１壁穴部６４と、底板６１における器具本体１１の−Ｙ方向に接続された断面視コ字形状の保持部である第２壁穴部６５と、からなる電線保持金具６６を備える。
【００６４】
この場合の器具本体１１は、金具係合穴２１を、施工用取付穴１９の長手方向に有し、金具取付ねじ穴２２を、施工用取付穴１９を中心として金具係合穴２１の反対側に有する。
【００６５】
第１側板６２は、その先端部に器具本体１１の金具係合穴２１に係合される係合舌片６７を突出形成している。
【００６６】
第２側板６３は、その先端部に器具本体１１の金具取付ねじ穴２２にねじ込まれるねじ３０を挿通させるためのねじ穴３１を有する器具固定用フランジ６８を突出形成している。
【００６７】
電線保持金具６６は、ボルト穴２８からＹ方向に離れた位置に、第１壁穴部６４内に器具本体１１のＸ方向に開口した第１配線穴６９を独立して形成する。
【００６８】
また、電線保持金具６６は、ボルト穴２８から−Ｙ方向に離れた位置に、第２壁穴部６５内に器具本体１１のＸ方向に開口した第２配線穴７０を独立して形成する。
【００６９】
第４実施形態の照明器具６０では、電線保持金具６６は、第１壁穴部６４に形成した第１配線穴６９および第２壁穴部６５に形成した第２配線穴７０をボルト穴２８とは別所に形成する。
これにより、施工に際し、電線保持金具６６を施工用取付穴１９に対応した位置に固定することにより、電線保持金具６６は器具内線１８を保持するためのスペースを形成して器具本体１１に固定される。
従って、ボルト２への共締めにより電線保持金具６６は器具本体１１から外れることなく固定されるとともに、電線保持金具６６の各配線穴６９，７０に器具内線１８を貫通させることにより、器具内線１８をボルト穴２８とは別所に配置してワッシャ３の噛み込み等を起こすことなく器具内線１８を確実に保持することができる。
【００７０】
（第５実施形態）
次に、本発明の第５実施形態の照明器具について説明する。
【００７１】
図８にも示すように、本発明の第５実施形態の照明器具８０は、底板８１と、第１側板８２および第２側板８３と、底板８１における器具本体１１のＹ方向に接続された断面視コ字形状の保持部である第１壁穴部８４と、底板８１における器具本体１１の−Ｙ方向に接続された断面視コ字形状の保持部である第２壁穴部８５と、からなる電線保持金具８６を備える。
【００７２】
この場合の器具本体１１は、金具係合穴２１を、施工用取付穴１９の長手方向に有し、金具取付ねじ穴２２を、施工用取付穴１９を中心として金具係合穴２１の反対側に有する。
【００７３】
第１側板８２は、その先端部に器具本体１１の金具係合穴２１に係合される係合舌片８７を突出形成している。
【００７４】
第２側板８３は、その先端部に器具本体１１の金具取付ねじ穴２２にねじ込まれるねじ３０を挿通させるためのねじ穴３１を有する器具固定用フランジ８８を突出形成している。
【００７５】
第１壁穴部８４はコ字形状をなす第１壁穴本体８９から−Ｚ方向に突出した被覆片９０を有する。第１壁穴部８４は第１壁穴本体８９の開口部を塞ぐために被覆片９０をほぼ９０度折り曲げ成形することにより器具本体１１のＸ方向に開口した第１配線穴９３を独立して形成する。
【００７６】
第２壁穴部８５はコ字形状をなす第２壁穴本体９１から−Ｚ方向に突出した被覆片９２を有する。第２壁穴部８５は第２壁穴本体９１の開口部を塞ぐために被覆片９２をほぼ９０度折り曲げ成形することにより器具本体１１のＸ方向に開口した第２配線穴９４を独立して形成する。
【００７７】
第５実施形態の照明器具８０では、電線保持金具８６は、第１壁穴部８４に形成した第１配線穴９３および第２壁穴部８５に形成した第２配線穴９４をボルト穴２８とは別所に形成する。
これにより、施工に際し、電線保持金具８６を施工用取付穴１９に対応した位置に固定することにより、電線保持金具８６は器具内線１８を保持するためのスペースを形成して器具本体１１に固定される。
従って、ボルト２への共締めにより電線保持金具８６は器具本体１１から外れることなく固定されるとともに、電線保持金具８６の各配線穴９３，９４に器具内線１８を貫通させることにより、器具内線１８をボルト穴２８とは別所に配置してワッシャ３の噛み込み等を起こすことなく器具内線１８を確実に保持することができる。
【００７８】
（第６実施形態）
次に、本発明の第６実施形態の照明器具について説明する。
【００７９】
図９にも示すように、本発明の第６実施形態の照明器具１００は、底板１０１と、器具本体１１のＸ方向に配置される第１側板１０２と、器具本体１１の−Ｘ方向に配置される第２側板１０３と、器具本体１１のＹ方向に配置される第３側板１０４と、器具本体１１の−Ｙ方向に配置される第４側板１０５と、を有する電線保持金具１０６を備える。
【００８０】
第１側板１０２は、端部に開口切欠１０８を有してＵ字形状に切除された第１保持穴１０７を、そのＹ方向側に有する。第１側板１０２は、端部に開口切欠１１０を有してＵ字形状に切除された第２保持穴１０９を、その−Ｙ方向側に有する。
【００８１】
第２側板１０３は、そのＹ方向側にＵ字形状で端部に接続して切除された第１保持穴１０７と対をなす不図示の第１保持穴を有する。第２側板１０３は、その−Ｙ方向側にＵ字形状で端部に接続して切除された第２保持穴１０９と対をなす不図示の第２保持穴を有する。
【００８２】
それぞれの第１保持穴１０７は器具本体１１のＸ方向に連続しており、器具内線１８を挿通させる。それぞれの第２保持穴１０９は器具本体１１のＸ方向に連続しており、器具内線１８を挿通させる。
【００８３】
第３側板１０４は、その先端部に器具本体１１の金具係合穴２１に係合される係合舌片１１１を突出形成している。
【００８４】
第４側板１０５は、その先端部に器具本体１１の金具取付ねじ穴２２にねじ込まれるねじ３０を挿通させるためのねじ穴３１を有する器具固定用フランジ１１２を突出形成している。
【００８５】
この場合の器具本体１１は、金具係合穴２１を、施工用取付穴１９の長手方向に直交する側に長穴形状に有し、金具取付ねじ穴２２を、施工用取付穴１９を中心として金具係合穴２１の反対側に有する。
【００８６】
第６実施形態の照明器具１００では、電線保持金具１０６は、第１保持穴１０７および第２保持穴１０９をボルト穴２８とは別所に形成する。
これにより、施工に際し、電線保持金具１０６を施工用取付穴１９に対応した位置に固定することにより、電線保持金具１０６は器具内線１８を挿通するための保持穴１０７，１０９を有して器具本体１１に固定される。
従って、ボルト２への共締めにより電線保持金具１０６は器具本体１１から外れることなく固定されるとともに、電線保持金具１０６の各保持穴１０７，１０９に器具内線１８を貫通させることにより、器具内線１８をボルト穴２８とは別所に配置してワッシャ３の噛み込み等を起こすことなく器具内線１８を確実に保持することができる。
【００８７】
（第７実施形態）
次に、本発明の第７実施形態の照明器具について説明する。
【００８８】
図１０にも示すように、本発明の第７実施形態の照明器具１２０は、底板１２１と、器具本体１１のＸ方向に配置される第１側板１２２と、器具本体１１の−Ｘ方向に配置される第２側板１２３と、器具本体１１のＹ方向に配置される第３側板１２４と、器具本体１１の−Ｙ方向に配置される第４側板１２５と、を有する電線保持金具１２６を備える。
【００８９】
第１側板１２２は、端部に開口切欠１２８を有してＵ字形状に切除された第１保持穴１２７を、そのＹ方向側に有する。第１側板１２２は、端部に開口切欠１３０を有してＵ字形状に切除された第２保持穴１２９を、その−Ｙ方向側に有する。
【００９０】
第１側板１２２は、その先端部に器具本体１１の金具係合穴２１に係合される係合舌片１３１を突出形成している。
【００９１】
第２側板１２３は、そのＹ方向側にＵ字形状で端部に接続して切除された第１保持穴１２７と対をなす不図示の第１保持穴を有する。第２側板１２３は、その−Ｙ方向側にＵ字形状で端部に接続して切除された第２保持穴１２９と対をなす不図示の第２保持穴を有する。
【００９２】
第２側板１２３は、その先端部に器具本体１１の金具取付ねじ穴２２にねじ込まれるねじ３０を挿通させるためのねじ穴３１を有する器具固定用フランジ１３２を突出形成している。
【００９３】
この場合の器具本体１１は、金具係合穴２１を、施工用取付穴１９の長手方向に有し、金具取付ねじ穴２２を、施工用取付穴１９を中心として金具係合穴２１の反対側に有する。
【００９４】
第７実施形態の照明器具１２０では、電線保持金具１２６は、第１保持穴１２７および第２保持穴１２９をボルト穴２８とは別所に形成する。
これにより、施工に際し、電線保持金具１２６を施工用取付穴１９に対応した位置に固定することにより、電線保持金具１２６は器具内線１８を挿通するための保持穴１２７，１２９を有して器具本体１１に固定される。
従って、ボルト２への共締めにより電線保持金具１２６は器具本体１１から外れることなく固定されるとともに、電線保持金具１２６の各保持穴１２７，１２９に器具内線１８を貫通させることにより、器具内線１８をボルト穴２８とは別所に配置してワッシャ３の噛み込み等を起こすことなく器具内線１８を確実に保持することができる。
【００９５】
なお、前記各実施形態で使用した器具本体１１、ソケット１２、安定器１３、端子台１４、反射板１５、直管形蛍光灯１６等は例示したものに限定するものではなく適宜変更が可能である。
【符号の説明】
【００９６】
１  天井面
２  取付ボルト（ボルト）
１０、４０、５０、６０、８０、１００、１２０  照明器具
１１  器具本体
１７、４６、５４、６６、８６、１０６、１２６  電線保持金具
１８  器具内線
１９  施工用取付穴
２８  ボルト穴
３３、４７、５７、６９、９３  第１配線穴（配線穴）
３４、４８、５８、７０、９４  第２配線穴（配線穴）
５２、６４、８４  第１壁穴部（保持部）
５３、６５、８５  第２壁穴部（保持部）
１０７、１２７  第１保持穴（保持穴）
１０９、１２９  第２保持穴（保持穴）
【図１】
2010170735.tif 000003
【図２】
2010170735.tif 000004
【図３】
2010170735.tif 000005
【図４】
2010170735.tif 000006
【図５】
2010170735.tif 000007
【図６】
2010170735.tif 000008
【図７】
2010170735.tif 000009
【図８】
2010170735.tif 000010
【図９】
2010170735.tif 000011
【図１０】
2010170735.tif 000012